(57)【要約】【課題】屋外での活動時における日焼けを防止するための日除け用マスクに関し、特にシミの発生要因となりやすい目尻の日焼けを的確に防止することができる日除け用マスクを提供する。【解決手段】柔軟なマスク主体１の表面側に遮光布２を取り付けた日除け用マスクである。前記マスク主体１の中央下部には、鼻と口が露出する切り欠き部４が形成されている。また、マスク主体１の左右両側上部に目尻を覆う目尻被覆部５が延設されている。前記マスク主体１を吸湿性布からなるものとすることや、遮光布２を通気性のあるメッシュ布からなるものとすることが好ましい。【選択図】図１
0003154545.tif 000002
【実用新案登録請求の範囲】
【請求項１】
柔軟なマスク主体の表面側に遮光布を取り付けた日除け用マスクであって、前記マスク主体の中央下部に鼻と口が露出する切り欠き部を形成し、またマスク主体の左右両側上部に目尻を覆う目尻被覆部を延設したことを特徴とする日除け用マスク。
【請求項２】
マスク主体が、吸湿性布からなることを特徴とする請求項１に記載の日除け用マスク。
【請求項３】
遮光布が、通気性のあるメッシュ布からなることを特徴とする請求項１または２に記載の日除け用マスク。
【請求項４】
遮光布が、紫外線をカットする布からなることを特徴とする請求項３に記載の日除け用マスク。
【請求項５】
マスク主体の中央上部に、鼻梁の形状に応じて変形可能なワイヤ部材が取り付けてあることを特徴とする請求項１〜４のいずれかに記載の日除け用マスク。
【考案の詳細な説明】
【技術分野】
【０００１】
本考案は、屋外での活動時における日焼けを防止するための日除け用マスクに関し、特にシミ発生の原因となりやすい目尻の日焼けを的確に防止することができる日除け用マスク関するものである。
【背景技術】
【０００２】
従来、例えば、屋外での各種のスポーツやウォーキング、買い物、農作業、庭作業などを行う場合、日焼けを防止するために鍔の大きい帽子やサンバイザーが使われていた。しかし、これでは照り返しの防止や、時間とともに位置が変わる太陽照射の完全な遮断はできないものであった。また、テニス等の動きの激しいスポーツの場合は、鍔の大きい帽子は邪魔になって使用することができないという問題点もあった。
【０００３】
そこで、特許文献１や特許文献２に示されるように、顔に密着するマスクタイプであって、運動中においても照り返しによる日焼けを防止することができ、かつ動きの邪魔になることがないスポーツ対応型の日除け用マスクが提案されている。
【０００４】
しかしながら、前記特許文献１，２に示されるものは、マスクが長方形状であるために口や鼻の周辺部の日焼けは防ぐことができるものの、シミ等を発生させやすい目尻周辺の日焼けを防ぐことはできないという問題点があった。また、運動中にかいた汗がマスクに吸われずに不快感を生じさせるという問題点や、口と鼻がマスクで覆われているため呼吸がしにくくなるという問題点があった。更には、マスクタイプであり外観的に見栄えが悪いためファッション性に劣るという問題点もあった。
【先行技術文献】
【特許文献】
【０００５】
【特許文献１】実用新案登録第３１３６０８４号公報
【特許文献２】実用新案登録第３１４７０９９号公報
【考案の概要】
【考案が解決しようとする課題】
【０００６】
本考案は上記のような問題点を解決して、テニス等の動きの激しい動きのスポーツにも対応して日焼け防止をすることができ、特にシミ発生の原因となりやすい目尻の日焼けを的確に防止することができ、また発汗による不快感や呼吸困難が発生するのを防止することができ、更には外観的な見栄えも良く優れたファッション性も発揮することができる日除け用マスクを提供することを目的として完成されたものである。
【課題を解決するための手段】
【０００７】
上記課題を解決するためになされた本考案の日除け用マスクは、柔軟なマスク主体の表面側に遮光布を取り付けた日除け用マスクであって、前記マスク主体の中央下部に鼻と口が露出する切り欠き部を形成し、またマスク主体の左右両側上部に目尻を覆う目尻被覆部を延設したことを特徴とするものである。
【０００８】
また、前記マスク主体が吸湿性布からなることが好ましく、これを請求項２に係る考案とする。
【０００９】
また、前記遮光布が通気性のあるメッシュ布からなることや、紫外線をカットする布からなることが好ましく、それぞれ請求項３、および請求項４に係る考案とする。
【００１０】
また、マスク主体の中央上部に、鼻梁の形状に応じて変形可能なワイヤ部材が取り付けてあることが好ましく、これを請求項５に係る考案とする。
【考案の効果】
【００１１】
請求項１に係る考案では、柔軟なマスク主体の表面側に遮光布を取り付けた日除け用マスクであって、前記マスク主体の中央下部に鼻と口が露出する切り欠き部を形成し、またマスク主体の左右両側上部に目尻を覆う目尻被覆部を延設したので、マスク装着時でも鼻と口はマスク主体から露出した状態となるので呼吸がしにくくなることがない。また、目尻被覆部により目尻周辺の日焼けを確実に防ぐことができる。
【００１２】
また、請求項２に係る考案では、マスク主体が吸湿性布からなるので、使用中に汗をかいてもすぐに吸湿することができ、優れた使用感を発揮する。
【００１３】
請求項３に係る考案では、遮光布が通気性のあるメッシュ布からなるので、装着時における呼吸を楽に行うことができ、また優れた日除け作用も発揮することができる。
【００１４】
請求項４に係る考案では、遮光布が紫外線をカットする布からなるので、より日除け作用も発揮することが可能となる。
【００１５】
更に、請求項５に係る考案では、マスク主体の中央上部に、鼻梁の形状に応じて変形可能なワイヤ部材が取り付けてあるので、マスクを顔に密着させることができ完全な日除け作用を発揮し、また優れた装着感を発揮することができる。
【図面の簡単な説明】
【００１６】
【図１】本考案の実施の形態を示す正面図である。
【図２】図１を裏面側から見た図である。
【図３】図１の分解斜視図である。
【図４】使用状態を示す正面図である
【図５】使用状態を示す斜視図である
【考案を実施するための形態】
【００１７】
以下に、図面を参照しつつ本考案の好ましい実施の形態を示す。
図１は、本考案にかかる日除け用マスクの一例を示す正面図、図２は図１を裏面側から見た図、図３は図１の分解斜視図である。
図において、１はマスク主体であり、一般的なマスク材として用いられる綿、麻、ナイロン、ポリエステル等の１種または混紡の繊維からなる編布、織布、不織布等の柔軟な材質からなるものである。また、２はマスク主体１の表面側に取り付けた通気性のあるレース生地のようなメッシュ布からなる遮光布、３は前記マスク主体１の左右両側に設けられている頭部へ装着するための固定部である。
【００１８】
なお、前記マスク主体１と遮光布２との結合は、糸による縫合、接着剤による接合等いずれでもよく、また全面結合あるいは部分的な結合等、任意に選択することができるものである。また、図示のものでは、固定部３に長さ調整具３ａが取り付けられており、この場合は固定部３の長さを任意に調整してあらゆる人に対応することができ、また使用用途に応じて締め付け力も任意に調整することが可能となる。
【００１９】
前記マスク主体１の中央下部には、鼻と口が露出する切り欠き部４が形成されている。この切り欠き部４は、基本的には湾曲した帯状のマスク主体１の中央下部に、マスク装着時において鼻と口が露出するように逆Ｖ字状に切り取られることにより形成されている。
また、マスク主体１の左右両側上部には、目尻を覆う目尻被覆部５、５が上側に向けて延設されており、マスク装着時においてこの目尻被覆部５が左右の目尻部周辺をしっかりと覆うようになっている。
【００２０】
前記遮光布２は、マスク主体１の外形と同形状、あるいは下方側へ更に長くして幕のように垂らすこともできる。また、遮光布２は前記切り欠き部４を覆って鼻と口をしっかりと遮光するよう構成されている。
なお、この遮光布２を、紫外線をカットする布からなるものとすれば日焼け防止効果が更に向上するのでより好ましい。また、遮光布２を、用途に応じて各種の色付き布や模様付き布等で形成することもでき、この場合は自分の好みに応じたマスクとすることができるとともに、見栄えを良くして優れたファッション性を発揮できることとなる。
【００２１】
また、前記マスク主体１の中央上部に、鼻梁の形状に応じて変形可能なワイヤ部材６を取り付けることもできる。この場合は、マスクを顔面に密着させることができて優れたフィット感を得ることができ、また顔面との隙間がなくなるので紫外線侵入による日焼けも確実に防止することができることとなる。
【００２２】
次に、本考案の日除け用マスクを使用する場合について説明する。
図４は使用状態を示す正面図、図５はその斜視図であるが、マスクの装着は一般的なマスクと同様、左右の固定部３、３を耳に掛けるのみでよい。ワイヤ部材６がある場合は、鼻梁の形状に応じてワイヤ部材６を変形させ密着するようにする。
本考案のマスクは、マスク主体１の中央下部に鼻と口が露出する切り欠き部４が設けてあり鼻と口が塞がれることがないので、テニス等の激しいスポーツの場合にも十分な呼吸ができ息切れすることがない。また、マスク表面には遮光布２が取り付けてあるので鼻と口の周辺の日焼けを確実に防止することができる。
【００２３】
特に、本考案ではマスク主体１の左右両側上部に目尻を覆う目尻被覆部５、５が延設されているので、図４〜図５に示されるように、目尻周辺部がしっかりと覆われた状態となり、この部位の日焼けを確実に防止することができる。この目尻周辺部の日焼けはシミ発生の要因となる可能性が高く、この部位の日焼けを防止できるマスクは従来なかったものであり画期的な商品である。
更には、マスク主体１を吸湿性布からなるものとして発汗による不快感を防止し心地よい使用感が得られるという利点や、遮光布２を、各種の色付き布や模様付き布等で形成することで外観的な見栄えを向上させ優れたファッション性を発揮することができる等の利点も有するものである。
【符号の説明】
【００２４】
１  マスク主体
２  遮光布
３  固定部
３ａ  長さ調整具
４  切り欠き部
５  目尻被覆部
６  ワイヤ部材
【図１】
0003154545.tif 000003
【図２】
0003154545.tif 000004
【図３】
0003154545.tif 000005
【図４】
0003154545.tif 000006
【図５】
0003154545.tif 000007